(57)【特許請求の範囲】
【請求項１】
所定間隔を開けた柱体、間柱の上面に笠木を配置し、この笠木の屋外側、屋内側の両側に縦胴縁を配置し、この縦胴縁の外側に外壁を配置した上で、頂部上側にカバー部材を取り付けたパラペット部における換気構造において、
前記パラペット部の一つの外壁のうちその上端付近を開放するパラペット開放部と、
屋外側に開口部を、屋内側に本体開放部を有し、前記開口部から前記本体開放部までを空洞にして相通ずる通気路を有する換気本体と、からなるものであって、
前記パラペット開放部と前記本体開放部とが通気可能となるように、前記パラペット部に換気本体を配置し、前記パラペット部の屋内気を、前記本体開放部と前記パラペット開放部とを経て排出することができ、換気可能とし、
前記換気本体の箱体部の内部で回動自在に垂下しており、前記屋内側に回動することにより前記通気路と前記本体開放部との通気を遮蔽する遮蔽板を有することを特徴とするパラペット換気構造。
【請求項２】
前記換気本体は、その上部が屋内側に延び出る取付部を有し、
この取付面の延長長さは笠木の屋内方向長さより短いものであって、
前記笠木の上面に、一又は複数の取付部材と笠木開放部を設け、
前記取付部材の上面に前記取付面を取り付け、前記笠木解放部と前記換気本体の本体開放部との間に第二通気路を有することを特徴とする請求項１に記載のパラペット換気構造。
【請求項３】
前記換気本体は、取付部と箱状部材である箱体部と、閉塞部材とからなり、
前記箱体部内は空洞で、上部水平板とこの上部水平板から垂直状の下方に折曲されていて、屋外側に開口部を形成した屋外側垂直板と、
この屋外側垂直板から屋内側に折曲させた下部水平板とを有し、
前記下部水平板の屋内側端部から上方へ立ち上がる立ち上がり部とその立ち上がり部の上縁から斜め下方へ折り返されているカエシを有し、
前記立ち上がり部と前記カエシの上方において、前記本体開放部が形成され、
前記取付部は、前記上部水平板から垂直状に折曲して形成された垂直板から屋内側へ延長して形成されるものであり、
前記閉塞部材は、内枠と遮蔽板とからなり、
前記内枠は、前記取付部の下側に重ねられるものであり、
前記遮蔽板は、前記内枠の屋外側の端部から前記箱体部内の空洞内の通気路に回動自在に垂下せしめられる部材であって、通気時は通気路内で垂下し、強風時は屋内側に回動して前記カエシの先端に係合して前記本体開放部を遮蔽することを特徴とする請求項１又は２のいずれかに記載のパラペット換気構造。
【発明の詳細な説明】
【技術分野】
【０００１】
本発明は、建物の屋上やベランダの外壁として用いられるパラペット部における換気構造に関する。
【背景技術】
【０００２】
建物の軒先における換気構造として、特許文献１に記載の技術が存在する（例えば特許文献１参照）。
この技術は、換気装置本体の上側に屋根部材が配置されるので、上部水平板を屋根材と同じ角度で傾斜させ、屋根材を支持するように軒先側に突出させ、その突出した部分に閉塞部材を支持させてある。また、樋に水を受けるために水切り部材が下方に突出している。
また、パラペット部における換気構造として、特許文献２に記載の技術が存在する（例えば特許文献２参照）。
これは、パラペット部内において換気するために、パラペット部の屋内気を一旦カバー部材内に出した後に排出するという構造である。
【先行技術文献】
【特許文献】
【０００３】
【特許文献１】特開２００８−３０４１４０号公報
【特許文献２】特開２００１−２８８８６６号公報
【発明の概要】
【発明が解決しようとする課題】
【０００４】
特許文献１に記載の換気構造をそのままパラペット部に配置することはできなかった。なぜならば、パラペット部はその上端をカバー部材により使用者が安全に使用できるようにするためのものであり、屋根材の配置を前提とする特許文献１に記載の換気構造ではそのままパラペット部に配置することができないからである。そのため、突出した部分を形成することは避けなければならず、閉塞部材を支持する位置を変えなければならなかった。
また、樋もないので水切り部材を突出させる必要もない。
【０００５】
また、特許文献２に記載の換気構造は、パラペット部における換気を示すものであるが、笠木部材を通してパラペット部の気体を換気することができる。この場合には、パラペット部から笠木部材、笠木部材から換気部材を経て換気するため、換気の効率が悪くなるという欠点があった。
【課題を解決するための手段】
【０００６】
そこで、本発明のパラペット部の換気構造は、所定間隔を開けた柱体、間柱の上面に笠木を配置し、この笠木の屋外側、屋内側の両側に縦胴縁を配置し、この縦胴縁の外側に外壁を配置した上で、頂部上側にカバー部材を取り付けたパラペット部における換気構造において、前記パラペット部の一つの外壁のうちその上端付近を開放するパラペット開放部と、
屋外側に開口部を、屋内側に本体開放部を有し、前記開口部から前記本体開放部までを空洞にして相通ずる通気路を有する換気本体と、からなるものであって、前記パラペット開放部と前記本体開放部とが通気可能となるように、前記パラペット部に換気本体を配置し、前記パラペット部の屋内気を、前記本体開放部と前記パラペット開放部とを経て排出することができ、換気可能とし、前記換気本体の箱体部の内部で回動自在に垂下しており、前記屋内側に回動することにより前記通気路と前記本体開放部との通気を遮蔽する遮蔽板を有することを特徴とするものである。
【０００７】
また、前記換気本体は、その上部が屋内側に延び出る取付部を有し、この取付面の延長長さは笠木の屋内方向長さより短いものであって、前記笠木の上面に、一又は複数の取付部材と笠木開放部を設け、前記取付部材の上面に前記取付面を取り付け、前記笠木解放部と前記換気本体の本体開放部との間に第二通気路を有することが好ましい。
【０００８】
また、前記換気本体は、取付部と箱状部材である箱体部と、閉塞部材とからなり、前記箱体部内は空洞で、上部水平板とこの上部水平板から垂直状の下方に折曲されていて、屋外側に開口部を形成した屋外側垂直板と、この屋外側垂直板から屋内側に折曲させた下部水平板とを有し、前記下部水平板の屋内側端部から上方へ立ち上がる立ち上がり部とその立ち上がり部の上縁から斜め下方へ折り返されているカエシを有し、前記立ち上がり部と前記カエシの上方において、前記本体開放部が形成され、前記取付部は、前記上部水平板から垂直状に折曲して形成された垂直板から屋内側へ延長して形成されるものであり、前記閉塞部材は、内枠と遮蔽板とからなり、前記内枠は、前記取付部の下側に重ねられるものであり、前記遮蔽板は、前記内枠の屋外側の端部から前記箱体部内の空洞内の通気路に回動自在に垂下せしめられる部材であって、通気時は通気路内で垂下し、強風時は屋内側に回動して前記カエシの先端に係合して前記本体開放部を遮蔽することが好ましい。
【発明の効果】
【０００９】
請求項１に記載の発明によれば、パラペット部内の屋内気をスムーズに排出し、換気することができる。従来のパラペット部の換気構造では、パラペット部内の屋内気を通気孔からカバー部材や笠木へ排出して、それから換気部材を経て換気していた。これに対して、本発明の換気構造によれば、パラペット部から直接換気本体を通じて換気することができるので、スムーズな換気が可能になる。
また、パラペット部内の屋内気を通気孔から一旦笠木やカバー部材を通して換気するところ、従来はこの通気孔を埃などが塞いでしまうことがあった。これに対して、本発明の換気構造によれば、かかる内部の通気孔が存在せず、円滑な換気が可能になる。
【００１０】
請求項２に記載の発明によれば、取付部材と笠木開放部から笠木の上側に溜まる屋内気を排出することが可能になる。この笠木の上側に溜まった屋内気も直接、換気本体を通じて換気することができるので、スムーズな換気が可能になる。
【００１１】
請求項３に記載の発明によれば、閉塞部材により、屋外から強風と共に雨水が浸入した場合であっても、パラペット部内に侵入することを防止することができる。また、従来の換気構造では突出した部材などがあり、そのままパラペット部に取り付けることができなかった。特にパラペット部は手すりなど建物利用者が手を触れることが多いので、突出した部材を用いることは好ましくない。
これに対して、本発明の換気本体は外側に突出する部材をなくし、建物利用者が安全にパラペット部を利用できる状態で換気する換気構造とすることが可能になった。
【図面の簡単な説明】
【００１２】
【図１】本発明の一例を示す全体斜視図である。
【図２】（ａ）はパラペット部からカバー部材を外した状態を示す斜視図であり、（ｂ）はパラペット部の屋外側の外壁を下げてパラペット開放部を形成した状態を示す斜視図である。
【図３】（ａ）は枠部材の側面図であり、（ｂ）は閉塞部材の側面図である。
【図４】（ａ）は枠部材と閉塞部材とを重ね合わせた換気本体の側面図であり、（ｂ）は換気本体の斜視図である。
【図５】パラペット部に換気本体を取り付ける状態を示す斜視図である。
【図６】本発明のパラペット換気構造の一例を示すものあって、屋内気の排気ルートを示す側面図である。
【図７】本発明のパラペット換気構造を示すものあって、屋外気が流入した場合に閉塞する状態を示す側面図である。
【図８】本発明の第二実施例を示すものであって、パラペット部の取付部材に換気本体を取り付ける状況を示す斜視図で、カバー部材を除いて示す。
【図９】本発明の第二実施例を示す側面図であって、屋内気の排気ルートを示す側面図である。
【発明を実施するための形態】
【００１３】
本発明の実施の一例を図面に沿って説明する。
図１に示すように、本発明のパラペット換気構造は、カバー部材３を取り付けたパラペット部１の上端付近に、換気本体２を取り付けて、パラペット部１の内部の気体を屋外へ排出して換気するものである。
パラペット部１は、建物の屋上やベランダの外壁として用いられるものであり、所定の高さを有し、その上に手すりを取り付けることが多い。ここではカバー部材３が手すりとして用いられている場合を例示する。パラペット部１の換気構造は、パラペット部１内の気体を屋外に排出するものであるが、パラペット部１が建物の外壁と連結して配置されている場合には、パラペット部１内の気体のみならず、建物の外壁内の気体を排出することができる。
【００１４】
図２（ａ）、（ｂ）に示すように、通常のパラペット部１は、笠木４、縦胴縁５、柱体６ａ、６ａ、間柱６ｂ、６ｂ、外壁７、７とカバー部材３とからなる。
具体的には、両側の柱体６ａ、６ａの間に所定の間隔をもって適宜配置された間柱６ｂ、６ｂの上側に平面状の部材である笠木４を取り付けて、釘等により固定する。そして、笠木４の側面から柱体６ａ、６ａ、間柱６ｂ、６ｂと同じ垂直方向へ、屋外側（図２の手前側）と屋内側（図２の奥側）の両側に所定間隔をもって縦胴縁５、５を複数取り付ける。そして、縦胴縁５、５の外側に外壁７、７を取り付け、笠木４の上側に外壁７、７にかかるようにカバー部材３を取り付ける。
【００１５】
換気本体２を取り付けるパラペット部１には、図２（ｂ）に示すように、屋内気を排出するためのパラペット開放部８が形成されている。このパラペット開放部８は、パラペット部１の一方の外壁７の上端付近に形成する。
具体的には、屋外側の外壁７を通常位置（図２（ｂ）の破線で示す位置）より下げて、その下げた部分のうち、柱体６ａ、６ａ、間柱６ｂ、６ｂ、複数の縦胴縁５、５の間において、パラペット部１の内部を開放し、この部分をパラペット開放部８とする。
【００１６】
図１に示すように、換気本体２をこのパラペット開放部８に取り付ける。これについは後述する。この場合において、パラペット開放部８を形成するために下方へ下げた外壁７の上面が換気本体２の下部水平板１６に当接するようにする。これにより、外壁７と換気本体２の下部水平板１６との間から、外部の雨風がパラペット部１内に侵入することを防ぐことができる。
【００１７】
また、パラペット開放部８のその他の形態として、図示しないが、パラペット開放部８を形成するために外壁７を下方へ下げるのではなく、ドリル等で孔を開けることにより形成することもできる。
この場合、換気本体２を外壁７の屋外側に取り付ける必要があるので、換気本体２の取付部１３の長さなどを調整する必要がある。
【００１８】
換気本体２は、図３（ａ）、（ｂ）、図４（ａ）、（ｂ）に示す枠部材１１と閉塞部材３１とからなり、両者を重ね合わせて固定し、一つの換気本体２とする。
図３（ａ）に示すように、枠部材１１は箱状の部材である箱体部１２と取付部１３とからなり、取付部１３は箱体部１２の上部水平板１４の屋内側（図３の左側）から、垂直状の垂直板２６を介して屋内側へ延長することにより形成されている。
【００１９】
箱体部１２は、上部水平板１４、屋外側垂直板１５、下部水平板１６の３つの面からなり、その断面形状は略コの字状である。箱体部１２の長手方向の長さは、取り付けるパラペット部１の長さにより適宜決定される。
箱体部１２の上部水平板１４は水平状であり、その屋外側（図３（ａ）の右側）から下方に垂直状に折曲して屋外側垂直板１５を形成し、その面に複数の開口部１９、１９を形成する。そして、この屋外側垂直板１５から屋内側へ折曲して下部水平板１６を形成し、さらに、垂直状に立ち上げて立ち上がり部２０を形成する。屋外側垂直板１５と下部水平板１６との折曲部分に孔を適宜開けて箱体部１２の内部に溜まった雨水等を排出する水切り１７を形成する。また、下部水平板１６のうち中央付近から屋外側の部分について水切り１７を最下点として傾斜する傾斜面部１８を形成し、雨水が水切り１７に流れ易くする。
【００２０】
なお、立ち上がり部２０の先端を屋外側に折り返してカエシ２１を形成する。
開口部１９、１９から雨水が浸入したとしても、この立ち上がり部２０とカエシ２１によりパラペット部１への雨水の浸入を防ぐことが可能になる。
【００２１】
また、立ち上がり部２０及びカエシ２１の高さは屋外側垂直板１５の約半分程度であり、立ち上がり部２０とカエシ２１の上端部分と上部水平板１４との間が開放されている。この部分が本体開放部２２となる。
立ち上がり部２０、カエシ２１の高さは、本体開放部２２の開放面積に関係するが、あまりに広すぎると雨水などの浸入が容易になる。また、後述のように、カエシ２１は閉塞部材３１による閉塞時に箱体部１２内の通気路２３を閉塞し得るように、一定の高さが必要となる。そこで、本実施例においては、屋外側垂直板１５の約半分程度の高さとしているが、必ずしもこの場合のみに限定されない。
【００２２】
箱体部１２は、内部を空洞とし、屋内側の立ち上がり部２０とカエシ２１の上方に開放された本体開放部２２と、屋外側垂直板１５に形成された開口部１９、１９と間を気体が流れるようにすることができる。この箱体部１２の内部が通気路２３となる。
後述のように、この箱体部１２の内部に閉塞部材３１の遮蔽板３２が回動可能に配置される。屋内気は本体開放部２２から遮蔽板３２の下側を通り、開口部１９、１９から屋外に排出されるので、具体的にはその排出ルートが通気路２３となる。
【００２３】
図３（ａ）に示すように、屋外側垂直板１５は、開口部遮断壁２４、２４と支持部材２５、２５により、その両側方向（図３（ａ）、図４（ａ）の正面方向、図４（ｂ）の長手方向）に気体が通過するように開口されている。
つまり、開口部１９、１９は、上下から支持部材２５、２５に立脚支持された開口部遮断壁２４、２４が屋内側に向けて出窓状に張り出すことにより形成されている。そして、開口部遮断壁２４、２４が張り出した両側方の隙間と屋外側垂直板１５を開口した部分を、気体が通過する。
これにより、屋外からの風雨が直接侵入しようとしても、開口部遮断面２４、２４や支持部材２５、２５により遮断される。また、両側方に開口しているので、主に上側から降る雨水が換気本体２に浸入し難い。そのため、雨水がパラペット部１内に浸入することを防止することができる。
【００２４】
取付部１３は、枠部材１１を含む換気本体２をパラペット部１に取り付ける部分である。この取付部１３は、箱体部１２の上部水平板１４の屋内側から垂直状の垂直板２６を介して屋内側に延長することにより形成されるものである。換気本体２は、本体開放部２２の位置とパラペット開放部８の位置とを対面させて、パラペット部１の屋内気を排気するようにしなければならないので、この対面が実現しつつ取付部１３による取付が可能となるように、前記垂直板２６の高さを調整する必要がある。垂直板２６は配置するパラペット部１に合わせて調整してもよいし、垂直板２６を一定の高さにしておき、それに合わせて外壁７を下げてパラペット開放部８の位置を調整しても良い。
【００２５】
また、図３（ａ）、図４（ｂ）に示すように、取付部１３の一部を開孔して取付孔２７、２７を形成する。この取付孔２７、２７は、図５において符号６１で示すビス等を用いて、取付部１３を、笠木４や笠木４に取り付けた取付部材等に取り付ける場合に用いるものである。
取付孔２７、２７の位置は、取付部１３の長手方向に複数開口するものであるが、この場合のみに限定されるものではなく、取り付ける対象物、取付方法等から適宜、位置や形状を変更してもよい。
【００２６】
図３（ｂ）に示すように、閉塞部材３１は、遮蔽板３２と内枠３３とからなる。
内枠３３は、枠部材１１の取付部１３に重なり合う内枠取付部３４と、この内枠取付部３４をさらに垂直状の下方に折曲して形成された内枠垂直板３５とを有する。さらに、内枠垂直板３５を屋外側に水平状に折曲して形成された上部水平板３６と、さらに垂直状の下方へ折曲して形成された遮蔽板支持部３７とを有する。
【００２７】
内枠３３を含む閉塞部材３１は、前記枠部材１１の下側に重ね合わせるものであるので、内枠取付部３４と内枠垂直板３５は、枠部材１１の取付部１３と垂直板２６とほぼ同じ形状、大きさとなる。内枠取付部３４は、その屋内側を折り返した折り返し部３８を有する。この折り返した内側に枠部材１１の取付部１３の屋内側端縁を嵌め込んで、枠部材１１と重ね合わせた状態を保持することができる。
【００２８】
そして、枠部材１１の取付部１３と同じく、内枠取付部３４にも開孔された内枠取付孔３９、３９を有する。
内枠取付孔３９、３９は、閉塞部材３１と枠部材１１とを重ね合わせて、ともにパラペット部１に固定するためのものであるので、枠部材１１の取付部１３に開孔されている取付孔２７、２７と重ね合わせたときに同じ位置に開孔されている。取付孔２７、２７と内枠取付孔３９、３９とにビス６１、６１を嵌めて笠木４に固定することにより、閉塞部材３１と枠部材１１とを重ね合わせた状態でパラペット部１に固定することができる。
内枠取付孔３９、３９の位置のみならず取付方法がこの実施例のみに限定されないのは、取付孔２７、２７の場合と同じである。
【００２９】
内枠垂直板３５は、枠部材１１の垂直板２６の裏側に重なり合うものなので、垂直板２６と同じ形状、大きさを有する。
【００３０】
内枠上部水平板３６は、内枠垂直板３５の下端から屋外側に水平状に折曲したものであり、遮蔽板取付部３７は内枠上部水平板３６の屋外側からさらに垂直状の下方へ折曲することにより形成されている。この内枠上部水平板３６の屋外側へ延び出させる長さは、閉塞部材３１と枠部材１１を重ね合わせて固定したときに、遮蔽取付部３７に取り付けるべき遮蔽板３２が図４に示す通気路２３の中央付近に位置するようにする。
【００３１】
遮蔽取付部３７は、内枠上部水平板３６の屋外側からさらに垂直状の下方へ折曲したもので、遮蔽板３２を回動可能に取り付けることができる。本実施例では、遮蔽取付部３７に遮蔽板３２を可撓性のあるビニルテープ４０で取り付けている。この取付は、遮蔽取付部３７と遮蔽板３２との間に一定の間隔を開けてビニルテープ４０で両者を繋ぎとめる。この遮蔽取付部３７と遮蔽板３２との間の部分４２において、ビニルテープ４０の可撓性により、遮蔽板３２を回動させることができる。
【００３２】
遮蔽板３２の長さは、箱体部１２内で垂下した通常の状態において、その下端が下部水平板１６に接触しないように決める。この垂下した状態において、箱体部１２の内部を遮蔽しないようにし、気体が通気できる通気路２３を確保する。そして、開口部１９、１９から強い風が入るなどして遮蔽板３２が屋内側へ回動したときに、遮蔽板３２がカエシ２１の先端にあたるようにしている。
このカエシ２１の先端にあたる部分には、遮蔽板３２を保護するために、緩衝材４１が配置されている。この緩衝材４１により遮蔽板３２がカエシ２１の先端にあたったときに遮蔽板３２を損傷させないようにするのみならず、遮蔽板３２がカエシ２１の先端にあたった衝撃を吸収することができる。これにより、遮蔽板３２がカエシ２１の先端にあたってその反動で直ぐに遮蔽板３２による遮蔽が解かれることを防止することができる。
【００３３】
図６に示すように、通常の通気時には、遮蔽板３２は箱体部１２の内部で垂下しているので、遮蔽板３２の下側を気体が通過することができ、この部分が通気路２３となる。すなわち、パラペット部１の内部や複数の縦胴縁５の間の屋内気が本体開放部２２から換気本体２の内部に入る（矢印線Ａ）。そして、換気本体２の内部に入った屋内気は、通常の通気時に垂下している遮蔽板３２の下側を通る（矢印線Ｂ）。その後、遮蔽板３２の下側を通った屋内気は、開口部１９から屋外に排出される（矢印線Ｃ）。
【００３４】
一方、図７に示すように、屋外から開口部１９、１９を通じて雨をともなった強風が流入した場合、遮蔽板３２がパラペット部１への屋外気や雨水の侵入を防ぐ。すなわち、矢印線Ｄに示すように、流入した屋外気が遮蔽板３２を通常位置（図７の破線で示した位置）から、屋内側に回動させ（矢印線Ｅ）、回動した遮蔽板３２がカエシ２１に接触する。このとき、遮蔽板３２と立ち上がり部２０、カエシ２１により通気路２３と本体開放部２２との通気を遮蔽する。
これにより、屋内に極端な外気の流入や雨水の侵入を防ぐことができる。
また、屋内からの排出量が多い場合に、遮蔽板３２が屋外側に回動する可能性があるが、開口部遮断面部２４、２４と接触するのみでその側方にある開口部１９、１９を遮蔽しないので、通気を妨げることはない。
【００３５】
次に、図５に示す換気本体２をパラペット部１に取り付ける方法を示す。
まず、図４（ａ）、（ｂ）に示すように、枠部材１１と閉塞部材３１とを重ね合わせ、閉塞部材３１の折り返し部３８の折り返した内側に枠部材１１の取付部１３の屋内側端縁を嵌め込んで、枠部材１１と重ね合わせた状態を保持させて、一つの換気本体２とする。
【００３６】
そして、パラペット部１の外壁７、７を引き下げたパラペット開放部８［図２（ｂ）］に換気本体２の本体開放部２２が位置するように、換気本体２を配置する。このとき、換気本体２の取付部１３が笠木４の上部水平板に位置するように垂直板２６の高さを調整するか、垂直板２６が一定ならパラペット開放部８を調整する。本実施例は、垂直板２６が一定の高さで形成されているので、この高さに合致するように、パラペット開放部８を開放するための外壁７の位置を調整している。
換気本体２は取付部１３が笠木４の上面にあたるようにし、本体開放部２２とパラペット開放部８が通気可能になるように、上方から配置する（矢印線Ｘ）。このときに、外壁７、７の上面が換気本体２の下部水平板１６に合わさるようにしている。
【００３７】
そして、枠部材１１の取付孔２７、２７と内枠３３の内枠取付孔３９、３９にビス６１、６１を通し、笠木４に固定して、換気本体２を固定する（矢印線Ｙ）。
そして、換気本体２の上側からカバー部材３を被せて（矢印線Ｚ）、換気構造を有するパラペット部１とすることができる。
なお、本実施例はビス６１、６１により換気本体２を固定しているが、必ずしもこれのみに限定されない。ビス以外にも取付孔２７、２７に釘等で固定することも可能である。その他に、取付孔２７、２７を使用せずに、両面テープなどによる固定でもよい。
【００３８】
カバー部材３は、蓋状の部材で、換気本体２とパラペット部１とを覆うように取り付けるものである。カバー部材３は、その裏面から支持片６２が形成され、笠木４と取付部１３の上面においてカバー部材３を支持する。また、カバー部材３の屋外側の端縁は、側方支持片６３となり、換気本体２の開口部１９の上部で支持する。
【００３９】
次に本発明の第二実施例について説明する。
図８、９に示すように、本実施例は笠木４に取付部材５１、５１を配置し、取付部材５１、５１の上側に換気本体２を固定する。取付部材５１、５１の周囲には笠木解放部５２が形成され、笠木開放部５２から笠木４の上側に溜まった屋内気を第二通気路５３、通気路２３を通じて排出することができる。
【００４０】
具体的には、以下の通りである。
取付部材５１、５１は、笠木４の上面に所定間隔をもって枕木状に配置して固定させる。図８では複数の縦胴縁５、５と同じ間隔で、適宜、屋外側の縦胴縁５、５の上部水平板から屋内側の縦胴縁５、５の上部水平板に渡しかけて取付部材５１、５１を配置する。これら複数の取付部材５１、５１の両側の部分は相対的に凹んだ状態となり、笠木開放部５２となる。
【００４１】
換気本体２は、取付部材５１、５１の上側に取り付ける。具体的には、枠部材１１の取付孔２７、２７と内枠３３の内枠取付孔３９、３９にビス６１、６１を通して、取付部材５１、５１に取り付ける（矢印線Ｗ）。
【００４２】
図９に示すように、第二実施例にかかるパラペット換気構造によれば、パラペット部１内の屋内気を、通気路２３を通じて排出することができるのみならず、笠木４の上側に溜まっている屋内気も排出することができる。
つまり、笠木４の上側に溜まっている屋内気は通常は上側からカバー部材３が被せられているので、排出することができなかった。しかし、第二実施例にかかるパラペット換気構造では、取付部材５１、５１の両側部分に笠木開放部５２が形成されているので、この部分から屋内気を排出することができる。この排出において、垂直板２６、内枠垂直板３５とパラペット部１との間に空間があることが必要であり、この部分を第二通気路５３とする。
これにより、笠木４の上側に溜まる屋内気を第二通気路５３を通って（矢印線Ｄ）、本体開放部２２から通気路２３を経て、開口部１９、１９から排出することが可能になる。
【符号の説明】
【００４３】
１…パラペット部、２…換気本体、１１…枠部材、１２…箱体部、１３…取付部、１９…開口部、２２…本体開放部、２３…通気路、３１…閉塞部材、３２…遮蔽板、３３…内枠、５１…取付部材、５３…第二通気路
【図１】
0005774840.tif 000002
【図２】
0005774840.tif 000003
【図３】
0005774840.tif 000004
【図４】
0005774840.tif 000005
【図５】
0005774840.tif 000006
【図６】
0005774840.tif 000007
【図７】
0005774840.tif 000008
【図８】
0005774840.tif 000009
【図９】
0005774840.tif 000010